(57)【特許請求の範囲】
【請求項１】
軸筒と、
前方領域が前記軸筒内において撓み変形可能あるいは傾動可能であるように後方領域が前記軸筒内に支持された、筆記芯ユニットと、
前記軸筒に支持され、前記筆記芯ユニットの前端を取り囲む口金と、
を備え、
前記軸筒は、当該軸筒の径方向への相対移動を許容し且つ当該軸筒の軸方向への相対移動を規制するように前記口金を支持しており、
前記口金は、当該口金の径方向外方に突出したフランジ部を有しており、
前記軸筒には、当該軸筒の径方向内方に開放し、前記フランジ部を収容する環状溝が形成されており、
前記フランジ部は、前記軸筒に対して、当該軸筒の径方向へ相対移動する、
ことを特徴とする筆記具。
【請求項２】
前記軸筒は、軸筒本体と、当該軸筒本体の先端に外嵌された筒状のカバーと、を有しており、
前記カバーは、前記軸筒本体の前端部に軸方向前方から対面し当該軸筒本体との間に環状溝を形成する内鍔部を有している
ことを特徴とする請求項１に記載の筆記具。
【発明の詳細な説明】
【技術分野】
【０００１】
本発明は、筆記芯ユニットに高い筆圧が加えられた際に、当該筆圧を吸収して筆記芯ユニットの損傷を防止ないし低減させるタイプの筆記具に関する。
【背景技術】
【０００２】
従来より、筆記を行う際に筆記具の筆記芯（例えば、シャープペンシルの鉛芯）に高い筆圧が加えられると、口金の先端から露出された筆記芯が損傷（折損）してしまう、という問題があった。筆記芯の損傷は、筆圧が一定であれば、筆記具の軸筒の軸方向と紙面とのなす角度が小さくなるほど（軸筒を寝かせるほど）、あるいは、口金の先端から露出される筆記芯の長さが長くなるほど、顕著である。
【０００３】
このような問題に対し、特許文献１（特開２０１５−１２３６８９）には、筆記芯に高い筆圧が加えられた際に、筆圧の軸方向の成分と筆圧の当該軸方向に垂直な成分とをそれぞれ異なる機構により吸収して筆記芯の折損を低減させる、というシャープペンシルが記載されている。
【０００４】
具体的には、特許文献１のシャープペンシルは、口金（ホルダー）が弾性体（コイルバネ）を介して軸筒に支持されており、当該口金は、軸方向後方に向かって次第に小径となるカム斜面を有している。また、軸筒には、カム斜面を軸方向前方に押圧する押圧部が形成されている。このような構成により、筆圧の軸方向に垂直な成分（軸筒径外方向の力）に起因して、口金のカム斜面が軸筒の押圧部によって軸方向前方に押圧されて、軸筒の先端から口金が前方にスライドする（飛び出す）。これにより、口金の先端から露出される筆記芯の長さが減少されるようになっている。
【０００５】
更に、特許文献１のシャープペンシルは、筆記芯を繰り出す芯繰出ユニットが、弾性体（コイルバネ）によって軸方向前方（軸方向における口金の先端方向）に付勢された状態で、軸方向に相対移動可能に軸筒に支持されている。そして、筆記芯を含む芯繰出ユニットが軸筒に対して軸方向後方に相対移動することによって、筆圧の軸方向の成分が吸収される。この結果、口金の先端から露出される筆記芯の長さが一層減少されて、筆記芯の折損が低減されるようになっている。
【０００６】
特許文献１に記載されているシャープペンシルは、筆記芯に高い筆圧が加えられた際に、軸筒に対して口金が前方にスライドできる最大の長さ（ストローク）に亘って当該口金が一気にスライドする（飛び出す）ようになっている。これに対して、本件出願人は、特願２０１５−１３０２４０において、筆記芯に高い筆圧が加えられた際に、口金に対して筆記芯が後方にスライドする構成を開発した。そして、このような構成の方が筆記感が滑らかであると感じる使用者が多いことを確認した。
【先行技術文献】
【特許文献】
【０００７】
【特許文献１】特開２０１５−１２３６８９
【発明の概要】
【発明が解決しようとする課題】
【０００８】
特願２０１５−１３０２４０に記載されている実施の形態では、口金が筆記芯ユニットに弾性体（コイルバネ）を介して取り付けられている。このコイルバネは、軸筒の前方領域を規定する前軸と芯繰出ユニットとの間に規定された所定の領域に圧縮状態で配置されているため、前軸を取り外す際に、当該口金がコイルバネの付勢力によって飛び出してしまうという問題があった。また、組立時にコイルバネを圧縮させながら前軸を取り付けるという作業も困難である。
【０００９】
本件発明者は、鋭意検討を重ねた結果、これらの問題を解決するためには、口金をコイルバネによらずに軸筒に支持させることが効果的であることを知見した。
【００１０】
本発明は、以上のような知見に基づいており、その目的は、口金を弾性体（コイルバネ）によらずに軸筒に支持させることにより、組立時及び分解時の作業性が良好な筆記具を提供することである。
【課題を解決するための手段】
【００１１】
本発明は、軸筒と、前方領域が前記軸筒内において撓み変形可能あるいは傾動可能であるように後方領域が前記軸筒内に支持された、筆記芯ユニットと、前記軸筒に支持され、前記筆記芯ユニットの前端を取り囲む口金と、を備え、前記軸筒は、当該軸筒の径方向への相対移動を許容し且つ当該軸筒の軸方向への相対移動を規制するように前記口金を支持していることを特徴とする筆記具である。
【００１２】
本発明によれば、口金が弾性体（コイルバネ）によらずに軸筒に支持されるため、組立時及び分解時の作業性が良好な筆記具を提供することができる。
【００１３】
好ましくは、前記口金は、当該口金の径方向外方に突出したフランジ部を有しており、前記軸筒には、当該軸筒の径方向内方に開放し、前記フランジ部を収容する環状溝が形成されている。
【００１４】
より具体的には、前記軸筒は、軸筒本体と、当該軸筒本体の先端に外嵌された筒状のカバーと、を有しており、前記カバーは、前記軸筒本体の前端部に軸方向前方から対面し当該軸筒本体との間に環状溝を形成する内鍔部を有している。
【００１５】
この場合、シンプルな構成で口金を軸筒に支持させることができ、筆記具の組立及び分解が一層容易である。
【発明の効果】
【００１６】
本発明によれば、口金が弾性体（コイルバネ）によらずに軸筒に支持されるため、組立時及び分解時の作業性が良好な筆記具を提供することができる。
【図面の簡単な説明】
【００１７】
【図１】本発明の一実施の形態の筆記具の概略縦断面図である。
【図２】筆記芯に筆圧が加えられていない場合の、図１の筆記具の前方領域の概略縦断面図である。
【図３】筆記芯に筆圧が加えられている場合の、図１の筆記具の前方領域の概略縦断面図である。
【図４】図１の筆記具の口金の概略縦断面図である。
【図５】図１の筆記具のカバーの概略縦断面図である。
【発明を実施するための形態】
【００１８】
以下に、添付の図面を参照して本発明の一実施の形態を詳細に説明する。
【００１９】
図１は、本発明の一実施の形態の筆記具の概略縦断面図であり、図２は、筆記芯７０に筆圧が加えられていない場合の、図１の筆記具の前方領域の概略縦断面図であり、図３は、筆記芯７０に筆圧が加えられている場合の、図１の筆記具の前方領域の概略縦断面図である。
【００２０】
図１乃至図３に示すように、本実施の形態の筆記具は、シャープペンシル１００である。このシャープペンシル１００は、図１乃至図３に示すように、軸筒１０と、軸筒１０内に支持され、前方領域が当該軸筒１０内において傾動可能な、筆記芯７０を繰り出すための芯繰出ユニット４０と、を備えている。本実施の形態の軸筒１０は、ポリカーボネート製の軸筒本体１１と、この軸筒本体１１の前端に螺着された黄銅製のカバー１２と、を有している。本実施の形態の軸筒本体１１は、後軸２０と、後方領域が後軸２０の前方領域に固定（螺着）された前軸３０と、により構成されている。本実施の形態のカバー１２の構成の詳細については、後述される。
【００２１】
本実施の形態の芯繰出ユニット４０は、軸筒１０の内部で当該軸筒１０の軸方向に延在するポリプロピレン製の芯パイプ４１と、芯パイプ４１の前端部にコネクタ４９を介して固定された黄銅製のチャック４３と、チャック４３の前方領域に外嵌された黄銅製の締めリング４２と、チャック４３を取り囲む外筒４５と、外筒４５に対して芯パイプ４１を軸方向後方に付勢するリターンスプリング４４と、を有している。
【００２２】
具体的には、図２及び図３に示すように、外筒４５は、前方領域の内周面においてチャック４３を支持すると共に後方領域の外周面に張出部としてのフランジ部４５ｃを有する後筒４５ａと、後筒４５ａの前端領域に外嵌固定されチャック４３の前端部を超えて軸方向前方に延在する前筒４５ｂと、を有している。また、フランジ部４５ｃは、後端部に、コネクタ４９の外周面との間に隙間をもって軸方向後方に延びる円筒壁４５ｄを有している。この円筒壁４５ｄとチャック４３との隙間において、後筒４５ａの内面に設けられた段部４５ｆとコネクタ４９の前端部４９ａとの間にリターンスプリング４４が圧縮状態で配置されており、外筒４５に対して芯パイプ４１を軸方向後方に付勢している。この状態で、チャック４３は、締めリング４２によって締められて筆記芯７０を後退しないように挟持している。更に、前筒４５ｂは、締めリング４２よりも軸方向前方の内周面に当該締めリング４２の前進を途中で規制する当接段部４５ｅを有している。
【００２３】
また、図１乃至図３に示すように、軸筒１０は、外筒４５のフランジ部４５ｃよりも軸方向後方の内周面に突出部２１を有しており、この突出部２１とフランジ部４５ｃとの間に、伸縮可能なコイルバネ６０が圧縮状態で配置されている。このような構成により、筆記芯７０を含む芯繰出ユニット４０は、コイルバネ６０の付勢力に対抗して軸筒１０に対して軸方向後方への相対移動が可能となっている。
【００２４】
また、前軸３０の後方領域の内径は、フランジ部４５ｃの外径よりも大きくなっており、前軸３０の内周面とフランジ部４５ｃの外周面との間に隙間が形成されている。このことにより、軸筒１０に対する芯繰出ユニット４０の傾動が許容されている。
【００２５】
また、前筒４５ｂの後方領域には、前端部に被押圧部４５ｇが設けられている。本実施の形態の被押圧部４５ｇは、テーパ面として構成されている。また、軸筒１０（前軸３０）は、前方領域に内周面に張り出した押圧部３２を有している。本実施の形態では、図２に示すように、芯繰出ユニット４０が傾動する前においては、押圧部３２と被押圧部４５ｇとが互いに当接している。そして、図３に示すように、芯繰出ユニット４０が傾動する際に、押圧部３２が被押圧部４５ｇを軸筒１０に対して軸方向後方に相対移動させるようになっている。
【００２６】
次に、図４は、図１のシャープペンシル１００の口金５２の概略縦断面図であり、図５は、図１の筆記具のカバー１２の概略縦断面図である。図４に示すように、本実施の形態の口金５２は、全体として筒状であり、外面に当該口金５２の径方向外方に突出したフランジ部５６を有している。また、本実施の形態の軸筒１０には、当該軸筒１０の径方向内方に開放し、フランジ部５６を収容する環状溝１３が形成されている。この環状溝１３は、軸筒本体１１とこの軸筒１１の前端に外嵌されたカバー１２とによって形成されている。すなわち、図５に示すように、本実施の形態のカバー１２は、軸筒本体１１の前端部に軸方向前方から対面し軸筒本体１１との間に当該環状溝１３を形成する内鍔部１４を有している。
【００２７】
また、図５に示すように、本実施の形態のカバー１２は、内面に雌ネジ部１２ａが設けられ、軸筒本体１１は、先端領域の外面に雄ネジ部１１ａが設けられている。これらの雌ネジ部１２ａと雄ネジ部１１ａとが螺着されることによって、カバー１２が軸筒本体１１に固定されている。
【００２８】
図１乃至図３に戻って、口金５２のフランジ部５６の外径は、環状溝１３の内径よりも大きい。すなわち、軸筒１０の径方向においてフランジ部５６の外面と環状溝１３の内面との間には隙間が存在している。また、口金５２は、内鍔部１４の径方向内側に位置する領域の外径が当該内鍔部１４の内径よりも小さく、軸筒本体１１の先端領域の径方向内側に位置する領域の外径が当該先端領域の内径よりも小さい。すなわち、軸筒１０の径方向において、口金５２の外面と内鍔部１４の内面及び軸筒本体１１の先端領域の内面との間にも隙間が存在している。
【００２９】
このような構成によって、口金５２は、軸筒１０の軸方向への相対移動が禁止される一方、軸筒１０に対し、軸筒１０の径方向への相対移動が許容されている。
【００３０】
また、図１に示すように、芯繰出ユニット４０は、芯パイプ４１の後端に取り付けられて芯パイプ４１を外筒４５に対して軸方向前方に押圧するためのノック部４８を、更に有している。本実施の形態のノック部４８は、軸方向前方に、芯パイプ４１の後端領域に外嵌されるスリーブ部４８ａを有しており、軸方向後方に円柱状の消しゴム８０を取外可能に保持するホルダ部４８ｂを有している。スリーブ部４８ａの内部空間とホルダ部４８ｂの内部空間とは、開口によって連通されている。このことにより、消しゴム８０をホルダ部４８ｂから取り外すことによって、当該開口から筆記芯７０を芯ホルダ４１内に投入できるようになっている。また、ホルダ部４８ｂには、消しゴム８０の後方を覆うドーム状のノブ８１が取外可能に外嵌されている。
【００３１】
次に、本実施の形態のシャープペンシル１００の軸筒１０に口金５２を取り付ける方法について説明する。
【００３２】
まず、口金５２が軸筒１０に取り付けられるに先立ち、軸筒本体１１内に芯繰出ユニット４０が配置される。この状態で、例えばカバー１２の前端（図５における左方）が鉛直下方を向くように当該カバー１２の向きが定められ、内鍔部１４と口金５２のフランジ部５６とが当接するようにカバー１２内に口金５２が配置される。
【００３３】
そして、図１乃至図３に示すように、軸筒本体１１の先端領域の外面に設けられた雄ネジ部１１ａとカバー１２の内面に設けられた雌ネジ部１２ａとが螺着される。この時、芯繰出ユニット４０の先端は、口金５２内に収容される。
【００３４】
一方、メンテナンス時等に口金５２を軸筒本体１１から取り外す場合は、カバー１２に対して軸筒本体１１を相対回転させることによって、螺着状態を解除すればよい。本実施の形態のシャープペンシル１００は、口金５２が芯繰出ユニット４０に対して弾性体で付勢されていないため、分解時に口金５２が当該弾性体の付勢力によって飛び出すことがない。
【００３５】
次に、本実施の形態のシャープペンシル１００の作用について説明する。
【００３６】
まず、紙面に対して筆記を行うに先立ち、必要に応じて、ノブ８１と消しゴム８０とがホルダ部４８ｂから取り外され、スリーブ部４８ａとホルダ部４８ｂとを連通する開口を介して筆記芯７０が芯パイプ４１内に投入される。そして、消しゴム８０とノブ８１とがホルダ部４８ｂに取り付けられ、口金５２の前端が下方に向けられた状態でノック部４８（ノブ８１）が軸方向前方に向かって押圧（ノック）される。これにより、芯パイプ４１、コネクタ４９、チャック４３及び締めリング４２がリターンスプリング４４の付勢力に対抗して前進させられる。この前進の途中で、締めリング４２のみが外筒４５の前筒４５ｂに形成された当接段部４５ｅに当接する。これにより、チャック４３から締めリング４２が後方に外され、当該チャック４３が開放されて筆記芯７０が繰り出される。
【００３７】
そして、ノック部４８（ノブ８１）の押圧状態が解除されると、芯パイプ４１がチャック４３と共にリターンスプリング４４の付勢力によって後退させられる。これに伴って、締めリング４２が再びチャック４３の前方領域に外嵌され、チャック４３が締められる。これにより、筆記芯７０が後退しないように挟持され、筆記芯７０が繰り出された状態が維持される。そして、この一連の押圧操作が適宜繰り返されることにより、口金５２の先端から筆記芯７０が所望の長さ露出される（繰り出される）（図２参照）。そして、使用者によって前軸３０が把持され、紙面に対して筆記芯７０を当接させつつ軸筒１０を所望に移動させることによって、筆記が行われる。
【００３８】
筆記の際、軸筒１０は、その軸方向が紙面に対して鋭角をなす（図２および図３参照）ように把持されることが一般的である。このため、筆記芯７０には、軸筒１０の軸方向に垂直な成分と当該軸方向の成分とを含む筆圧が加えられる。本実施の形態のシャープペンシル１００は、筆記時に筆記芯７０に高い筆圧が加えられると、筆圧の軸方向に垂直な成分と軸方向の成分とをそれぞれ吸収して、口金５２の先端から露出された筆記芯７０の折損を回避する。
【００３９】
具体的には、図３に示すように、筆圧の軸方向に垂直な成分によって芯繰出ユニット４０の前方領域が傾動し、前軸３０の押圧部３２によって前筒４５ｂの被押圧部４５ｇ（テーパ面）が軸方向後方に押圧される。これにより、コイルバネ６０の付勢力に対抗して、筆記芯７０を含む芯繰出ユニット４０が軸筒１０に対して軸方向後方に相対移動される。一方、口金５２は、フランジ部５６が軸筒１０の環状溝１３に係合されているため、軸筒１０に対して軸方向後方には相対移動されない。これらのことにより、口金５２の先端から露出される筆記芯７０の長さが減少される。この時、芯繰出ユニット４０の傾動にともなって、口金５２が軸筒１０の径方向に移動する。この移動は、前述の通り、軸筒１０の径方向において、フランジ部５６の外面と環状溝１３の内面との間及び口金５２の外面と内鍔部１４の内面及び軸筒本体１１の先端領域の内面との間に隙間が存在していることによって許容される。
【００４０】
これと同時に、図３に示すように、筆圧の軸方向の成分によって、筆記芯７０が軸筒１０に対して軸方向後方に押圧される。これにより、コイルバネ６０の付勢力に対抗して、筆記芯７０を含む芯繰出ユニット４０が軸方向後方に更に相対移動される。すなわち、口金５２の先端から露出される筆記芯７０の長さが一層減少され、当該筆記芯７０の折損が回避される。
【００４１】
そして、筆記芯７０に加えられている筆圧が弱められると、コイルバネ６０の付勢力によって、筆記芯７０を含む芯繰出ユニット４０が軸筒１０の軸方向前方に押し戻される。これにより、初期状態（図２参照）が復元される。
【００４２】
以上のような本実施の形態によれば、口金５２が弾性体（コイルバネ）によらずに軸筒１０に支持されているため、組立時及び分解時の作業性が良好なシャープペンシル１００を提供することができる。
【００４３】
また、本実施の形態のシャープペンシル１００は、筆記芯７０に高い筆圧が加えられた際に、筆圧の軸方向に垂直な成分によって、芯繰出ユニット４０の前方領域が軸筒１０内において傾動される。これにより、筆記芯７０を含む芯繰出ユニット４０がコイルバネ６０の付勢力に対抗して軸筒１０に対して軸方向後方に相対移動されるため、口金５２の先端から露出される筆記芯７０の長さが減少される。更に、筆圧の軸方向の成分によって、筆記芯７０を含む芯繰出ユニット４０がコイルバネ６０の付勢力に対抗して軸筒１０に対して軸方向後方に更に相対移動され、口金５２の先端から露出される筆記芯７０の長さが一層減少される。これらのことにより、筆記芯７０に高い筆圧が加えられた際に当該筆記芯７０の折損が回避される。
【００４４】
また、口金５２は、外面に当該口金５２の径方向外方に突出したフランジ部５６を有しており、軸筒１０は、当該軸筒１０の径方向内方に開放し、フランジ部５６を収容する環状溝１３を有している。より具体的には、軸筒１０は、軸筒本体１１と、軸筒本体１１の前端に外嵌（螺着）された筒状のカバー１２と、を有しており、カバー１２は、軸筒本体１１の前端部に軸方向前方から対面し軸筒本体１１との間に環状溝１３を形成する内鍔部１４を有している。このことにより、シンプルな構成で口金５６を軸筒１０に支持させることができ、シャープペンシル１００の組立及び分解が一層容易である。
【００４５】
なお、本実施の形態では、筆記具としてシャープペンシル１００を例示したが、ボールペン、サインペン、マーカー、修正ペンなど、軸筒１０の前端から筆記部を突出させた筆記具に広く採用することができる。
【符号の説明】
【００４６】
１０  軸筒
１１  軸筒本体
１１ａ  雄ネジ部
１２  カバー
１２ａ  雌ネジ部
１３  環状溝
１４  内鍔部
２０  後軸
２１  突出部
２３  頭冠
２３ａ  段部
３０  前軸
３２  押圧部
３３  内鍔
４０  芯繰出ユニット
４１  芯パイプ
４２  締めリング
４３  チャック
４４  リターンスプリング
４５  外筒
４５ａ  後筒
４５ｂ  前筒
４５ｃ  フランジ部
４５ｄ  円筒壁
４５ｅ  当接段部
４５ｆ  段部
４５ｇ  被押圧部（テーパ面）
４８  ノック部
４８ａ  スリーブ部
４８ｂ  ホルダ部
４９  コネクタ
４９ａ  コネクタの前端部
５２  口金
５６  フランジ部
６０  コイルバネ
７０  筆記芯
８０  消しゴム
８１  ノブ
１００  シャープペンシル
【図１】
0006608271.tif 000002
【図２】
0006608271.tif 000003
【図３】
0006608271.tif 000004
【図４】
0006608271.tif 000005
【図５】
0006608271.tif 000006